(57)【要約】【課題】  身体が当接する部分に対するスピーカユニットの振動の伝達効率を向上させ、スピーカユニットから出力される音の振動が可能な限り正規の振動になって身体に伝達されるようにする。【解決手段】  身体の全部若しくは一部を支承するとともに柔軟性部材で形成され両端に開口１１を有した筒状体１０を備え、筒状体１０の一端部及び他端部に、夫々、筒状体１０の対応する端部を保持する筒状体保持部２２を裏側に設けた一対の保持体２０を設け、一対の保持体２０の少なくとも何れか一方に、筒状体１０に連通する貫通孔２４を形成し、その表側にスピーカユニット１をその前面が外向きになり後面が貫通孔２４に臨むように保持するスピーカ保持部２６を設け、スピーカ保持部２６にスピーカユニット１を保持し、筒状体１０内にクッション部材３０を収納した。【選択図】  図２
2020174334.tif 000002
【特許請求の範囲】
【請求項１】
身体の全部若しくは一部をその重さを受けて弾性的に支承するとともにスピーカユニットを備え該スピーカユニットからの音及びその振動を身体に伝達する音響クッション装置において、
身体の全部若しくは一部を支承するとともに柔軟性部材で形成され両端に開口を有した筒状体を備え、該筒状体の一端部及び他端部に、夫々、該筒状体の対応する端部を保持する筒状体保持部を裏側に設けた一対の保持体を設け、該一対の保持体の少なくとも何れか一方に、上記筒状体に連通する貫通孔を形成し、その表側に上記スピーカユニットをその前面が外向きになり後面が上記貫通孔に臨むように保持するスピーカ保持部を設け、該スピーカ保持部に上記スピーカユニットを保持し、上記筒状体内にクッション部材を収納したことを特徴とする音響クッション装置。
【請求項２】
上記筒状体を、撓ませて断面円形にした際、その直径Ｄを、３０ｍｍ≦Ｄ≦２００ｍｍに設定したことを特徴とする請求項１記載の音響クッション装置。
【請求項３】
上記筒状体を複数本列設し、上記筒状体保持部を、上記保持体の裏側に各筒状体に対応させて複数列設し、上記スピーカ保持部を、上記一対の保持体の少なくとも何れか一方に、各筒状体に対応させて設けたことを特徴とする請求項２記載の音響クッション装置。
【請求項４】
上記筒状体，これを保持する一対の保持体及びクッション部材を備えて構成されるグループ体を設け、該グループ体を複数連結して構成したことを特徴とする請求項２または３記載の音響クッション装置。
【請求項５】
上記筒状体を、樹脂製で非通気性のシート状部材を筒状にして形成したことを特徴とする請求項１乃至４何れかに記載の音響クッション装置。
【請求項６】
上記保持体を板状の本体を備えて構成し、上記筒状体保持部を、上記本体の裏面に突設され上記筒状体の開口が嵌合するリング状の突条で形成したことを特徴とする請求項１乃至５何れかに記載の音響クッション装置。
【請求項７】
上記突条を、扁平のリング状にしたことを特徴とする請求項６記載の音響クッション装置。
【請求項８】
上記スピーカ保持部を、上記貫通孔に連通し貫通した空間を有したケース体を備え、該ケース体の一方端を上記本体の表面に付設し、該ケース体の他方端に、上記スピーカユニットの裏面側が上記空間内に臨むように該スピーカユニットの外周縁部を取付けたことを特徴とする請求項１乃至７何れかに記載の音響クッション装置。
【請求項９】
上記筒状体及び保持体の少なくともいずれか一方に、上記筒状体に連通する通気孔を形成したことを特徴とする請求項１乃至８何れかに記載の音響クッション装置。
【請求項１０】
上記クッション部材として、吸音性を有する多孔質の樹脂性弾性部材を備えて構成したことを特徴とする請求項１乃至９何れかに記載の音響クッション装置。
【請求項１１】
上記クッション部材として、上記筒状体の軸線方向に直交する方向に伸縮可能なコイルスプリングを備えて構成したことを特徴とする請求項１乃至１０何れかに記載の音響クッション装置。
【請求項１２】
上記筒状体内に、吸音部材を収納したことを特徴とする請求項１０または１１記載の音響クッション装置。
【発明の詳細な説明】
【技術分野】
【０００１】
本願発明は、身体の全部若しくは一部をその重さを受けて弾性的に支承するとともにスピーカユニットを備え音及びその振動を身体に伝達することのできる音響クッション装置に関する。
【背景技術】
【０００２】
一般に、身体の全部若しくは部分をもたれさせその重さを受けて支承するクッション性のあるものとしては、例えば、腰掛けやソファ等の各種椅子の座部，背もたれ，肘掛，ヘッドレスト等をはじめ、これらに付帯させて用いるクッション類，ベッド，床に敷くマットレス，枕，座布団等、種々のものが知られている。また、これらのクッション性のあるものに、スピーカユニットを備え音及びその振動を身体に伝達することのできる音響クッション装置も知られている。
【０００３】
従来、この種の音響クッション装置として、例えば、特開２００６−２０１６３号公報（特許文献１）に記載された技術が知られている。図１５に示すように、この音響クッション装置Ｓａは、自動車のシートの背もたれで構成されており、座部１００の後部側に設けられる硬質の支持板１０１と、支持板１０１の前側に付設されるクッション部材１０２と、クッション部材１０２の前側に付設される吸音部材１０３と、支持板１０１，クッション部材１０２及び吸音部材１０３を覆う表皮１０４と、支持板１０１の裏面に設けられクッション部材１０２内に臨むコーン型のスピーカユニット１０５とを備えて構成されている。スピーカユニット１０５は、その表側が後向きに、裏側が着座する乗員側の前向きに支持板１０１に取付けられている。
【０００４】
そして、スピーカユニット１０５から音を出力すると、着座した乗員には、室内の空気を通して音が伝達されるとともに、背もたれ内部の空気を振動させ、その振動がクッション部材１０２，吸音部材１０３及び表皮１０４を通して伝達され、音を多角的に感じ取ることができる。
【先行技術文献】
【特許文献】
【０００５】
【特許文献１】特開２００６−２０１６３号公報
【発明の概要】
【発明が解決しようとする課題】
【０００６】
ところで、上記従来の音響クッション装置Ｓａにあっては、背もたれ内部の空気振動が、クッション部材１０２，吸音部材１０３及び表皮１０４を介して減衰されながら身体に伝達されては行くものの、スピーカユニット１０５の直接振動は、クッション部材１０２，吸音部材１０３及び表皮１０４が柔らかいので伝わりにくいことから、身体が当接する部分への伝達効率が悪く、その分、スピーカユニット１０５から出力される音の振動が正規の音の振動として体感することができにくいことがあるという問題があった。そのため、例えば、楽器の音の場合、音がぼやけてしまい、楽器の種類を体感で判別しにくくなる等の事象が生じる。
【０００７】
本発明はこのような問題点に鑑みて為されたもので、身体が当接する部分に対するスピーカユニットの振動の伝達効率を向上させ、スピーカユニットから出力される音の振動が可能な限り正規の振動になって身体に伝達されるようにした音響クッション装置を提供することを目的とする。
【課題を解決するための手段】
【０００８】
このような目的を達成するための本発明の音響クッション装置は、身体の全部若しくは一部をその重さを受けて弾性的に支承するとともにスピーカユニットを備え該スピーカユニットからの音波及びその振動を身体に伝達する音響クッション装置において、
身体の全部若しくは一部を支承するとともに柔軟性部材で形成され両端に開口を有した筒状体を備え、該筒状体の一端部及び他端部に、夫々、該筒状体の対応する端部を保持する筒状体保持部を裏側に設けた一対の保持体を設け、該一対の保持体の少なくとも何れか一方に、上記筒状体に連通する貫通孔を形成し、その表側に上記スピーカユニットをその前面が外向きになり後面が上記貫通孔に臨むように保持するスピーカ保持部を設け、該スピーカ保持部に上記スピーカユニットを保持し、上記筒状体内にクッション部材を収納した構成としている。
【０００９】
本発明においては、筒状体とは、軸方向を垂直にして置いた場合、筒状の形態を保持できるとともに、軸方向を水平にして置いた場合でも、ある程度は撓むものの、筒状の形態を保持できるある程度の剛性を有しているものを言う。また、筒状体を構成する柔軟性部材は、音波及び振動を減衰する機能を有し、樹脂材料，布材料，皮革材料，ゴム材料，紙材料及びこれらの複合材料群から１以上選択することができる。更に、クッション部材は、それ自体吸音性を有するものでも良く、コイルスプリングのようにそれ自体は吸音性を有しないものであっても良く、適宜のものを用いることができる。スピーカユニットからは、アンプ等の音響駆動機器により、人の声のみならず、音楽，電子音など人間の聴覚で認識可能な様々な音を出力することができる。
【００１０】
これにより、本装置を使用するときは、筒状体に身体の全部若しくは一部を支承する。筒状体は柔軟性部材で形成され、筒状体内にはクッション部材が収納されているので、身体の全部若しくは一部はその重さが受けられて弾性的に支承され、心地よさが得られる。そして、この状態で、スピーカユニットから音を出力すると、スピーカユニットからの音が外方の外気に伝播され、空気を通して身体に伝達されるとともに、スピーカユニットの振動が、保持体，筒状体，クッション部材を通して身体に伝達され、音を多角的に感じ取ることができる。この場合、柔軟性部材で形成された筒状体が、吸音性を有するクッション部材の場合はクッション部材とともに、音波及び振動を減衰するので、硬質の部材に比較して、共振音等の不要音の発生が極めて少なくなり、目的音以外の発生が抑えられる。このため、スピーカユニットから出力される音の振動を可能な限り正規の振動にして身体に伝達することができる。
【００１１】
特に、保持体が筒状体の端部を保持しているので、スピーカユニットの振動が、筒状体の壁部の全周に亘り筒状体の開口から筒状体の軸方向へ沿って均一に伝達されていくことから、従来に比較して、身体が当接する部分に対するスピーカユニットの振動の伝達効率を向上させることができ、それだけ、スピーカユニットから出力される音の振動を、正規の振動にして確実に身体に伝達することができる。この結果、例えば、楽器の音の場合、音がシャープになり、楽器の種類を体感で判別し易くなる等の効果を奏する。また、本発明においては、スピーカユニットが筒状体の端部に位置するので、スピーカユニットを使用者の耳元に配置し易くすることができる。耳元に配置した場合には、振動のみならず、スピーカユニットからの高音質を体感し易くすることができる。
【００１２】
そして、必要に応じ、上記筒状体を、撓ませて断面円形にした際、その直径Ｄを、３０ｍｍ≦Ｄ≦２００ｍｍに設定した構成としている。望ましくは、９０ｍｍ≦Ｄ≦１５０ｍｍである。これにより、振動の伝達がより一層均一で確実に行われ、振動の伝達性能を向上させることができる。筒状体を細くすると、それだけ剛性が高くなるので、筒状体の厚さを薄くすることができる。しかし、Ｄ＜３０ｍｍであると、柔軟性を確保しにくくなり、音波及び振動の減衰が不十分になり易いとともにクッション性が悪くなる。２００ｍｍ＜Ｄであると、幅広になって振動の伝達の均一性に劣る。
【００１３】
また、必要に応じ、上記筒状体を複数本列設し、上記筒状体保持部を、上記保持体の裏側に各筒状体に対応させて複数列設し、上記スピーカ保持部を、上記一対の保持体の少なくとも何れか一方に、各筒状体に対応させて設けた構成としている。振動の伝達性能を低下させることなく、身体を受ける面積を広くすることができる。即ち、例えばシートの背もたれの場合、背もたれ全体を大きな筒状体で構成した場合には、振動が分散して好ましくないが、これに比較して、小さな筒状体を複数列設して背もたれを構成できるので、振動を分散させることなく、振動の伝達を確実に行うことができる。
【００１４】
また、必要に応じ、上記筒状体，これを保持する一対の保持体及びクッション部材を備えて構成されるグループ体を設け、該グループ体を複数連結して構成したことが有効である。この場合にも、振動の伝達性能を低下させることなく、身体を受ける面積を広くすることができる。即ち、例えば人体が横臥するマットレスの場合、全体を大きな筒状体で構成した場合には、振動が分散して好ましくないが、これに比較して、小さな筒状体を複数列設して背もたれを構成できるので、振動を分散させることなく、振動の伝達を確実に行うことができる。
【００１５】
更に、必要に応じ、上記筒状体を、樹脂製で非通気性のシート状部材を筒状にして形成した構成としている。音波や振動の減衰性能を保持しつつ、スピーカユニットの振動を保持体を通して筒状体の軸方向に沿って確実に均等に伝達することができるようになり、より一層正規の振動にして身体に伝達することができる。
【００１６】
更にまた、必要に応じ、上記保持体を板状の本体を備えて構成し、上記筒状体保持部を、上記本体の裏面に突設され上記筒状体の開口が嵌合するリング状の突条で形成している。筒状体を突条に嵌合して保持するので、保持が確実になり、振動の伝達をより一層均等に行うことができる。
【００１７】
この場合、上記突条を、扁平のリング状にしたことが有効である。全体を扁平にすることができ、身体の支承面を確保し易くすることができる。
【００１８】
また、必要に応じ、上記スピーカ保持部を、上記貫通孔に連通し貫通した空間を有したケース体を備え、該ケース体の一方端を上記本体の表面に付設し、該ケース体の他方端に、上記スピーカユニットの裏面側が上記空間内に臨むように該スピーカユニットの外周縁部を取付けた構成としている。
これにより、筒状体の厚さ方向の寸法よりもスピーカユニットの厚さ方向の寸法が大きい場合に、保持体の厚さ方向の寸法を大きくすることなくスピーカユニットを保持することができ、筒状体による身体の支承機能を確保することができる。
【００１９】
更に、上記筒状体及び保持体の少なくともいずれか一方に、上記筒状体に連通する通気孔を形成した構成としている。身体の重さが筒状体にかかったとき、内部の空気を通気孔から外へ出して、クッション部材を縮小させて筒状体を凹ますことができるので、クッション性を確保することができる。この通気孔はスピーカユニットからできるだけ離間した位置に設けることが望ましい。
【００２０】
更にまた、必要に応じ、上記クッション部材として、吸音性を有する多孔質の樹脂性弾性部材を備えて構成している。多孔質の樹脂性弾性部材としては、所謂スポンジといわれるものが挙げられ、これを収納することになるので、吸音性を向上させることができるとともに、クッション性を良好に付与することができる。
また、必要に応じ、上記クッション部材として、上記筒状体の軸線方向に直交する方向に伸縮可能なコイルスプリングを備えて構成している。コイルスプリング自体は吸音性を有しないが、クッション性を良好に付与することができる。
【００２１】
この場合、上記筒状体内に、吸音部材を収納したことが有効である。吸音部材としては、例えば、綿，グラスウール等、適宜のものを用いることができる。筒状体による吸音作用を補填することができ、音波や振動の減衰性能を確実に確保することができる。
【発明の効果】
【００２２】
本発明によれば、スピーカユニットから音を出力すると、スピーカユニットからの音が外方の外気に伝播され、空気を通して身体に伝達されるとともに、スピーカユニットの振動が、保持体，筒状体，クッション部材を通して身体に伝達され、音を多角的に感じ取ることができる。この場合、柔軟性部材で形成された筒状体が、吸音性を有するクッション部材の場合はクッション部材とともに、音波及び振動を減衰するので、硬質の部材に比較して、共振音等の不要音の発生が極めて少なくなり、目的音以外の発生が抑えられる。このため、スピーカユニットから出力される音の振動を可能な限り正規の振動にして身体に伝達することができる。特に、保持体が筒状体の端部を保持しているので、スピーカユニットの振動が、筒状体の壁部の全周に亘り筒状体の開口から筒状体の軸方向へ沿って均一に伝達されていくことから、従来に比較して、身体が当接する部分に対するスピーカユニットの振動の伝達効率を向上させることができ、それだけ、スピーカユニットから出力される音の振動を、正規の振動にして確実に身体に伝達することができる。この結果、例えば、楽器の音の場合、音がシャープになり、楽器の種類を体感で判別し易くなる等の効果を奏する。
【図面の簡単な説明】
【００２３】
【図１】本発明の第１の実施の形態に係る音響クッション装置を示す斜視図である。
【図２】本発明の第１の実施の形態に係る音響クッション装置を示す分解斜視図である。
【図３】本発明の第１の実施の形態に係る音響クッション装置を示す正面断面図である。
【図４】本発明の第１の実施の形態に係る音響クッション装置において筒状体を示す平面図である。
【図５】本発明の第１の実施の形態に係る音響クッション装置の使用状態を示す図である。
【図６】本発明の第２の実施の形態に係る音響クッション装置を示す正面断面図である。
【図７】本発明の第３の実施の形態に係る音響クッション装置を示す斜視図である。
【図８】本発明の第３の実施の形態に係る音響クッション装置を示す正面断面図である。
【図９】本発明の第４の実施の形態に係る音響クッション装置を示す斜視図である。
【図１０】本発明の第４の実施の形態に係る音響クッション装置を示す正面断面図である。
【図１１】本発明の第４の実施の形態に係る音響クッション装置の使用状態を示す図である。
【図１２】本発明の第５の実施の形態に係る音響クッション装置を示す斜視図である。
【図１３】本発明の第６の実施の形態に係る音響クッション装置を示す縦断面図である。
【図１４】本発明の実施の形態に係る音響クッション装置において、クッション部材の別の例を示す側面部分断面図である。
【図１５】従来の音響クッション装置の一例を示す横断面図である。
【発明を実施するための形態】
【００２４】
以下、添付図面に基づいて、本発明の実施の形態に係る音響クッション装置を詳細に説明する。
図１乃至図５には、本発明の第１の実施の形態に係る音響クッション装置Ｓを示している。この音響クッション装置Ｓは、図５に示すように、主に、劇場の座席，自動車のシート，ソファなどの各種椅子Ｃの背もたれＣａに立て掛けて使用するものである。
【００２５】
この音響クッション装置Ｓは、身体の全部若しくは一部をその重さを受けて弾性的に支承するとともにスピーカユニット１を備えこのスピーカユニット１からの音及びその振動を身体に伝達するものである。スピーカユニット１は、図示外のアンプ等の音響駆動機器により、人の声のみならず、音楽，電子音など人間の聴覚で認識可能な様々な音を出力することができる。実施の形態では、スピーカユニット１は、周知のコーン型のもので、コーン状の振動板２と、振動板２の開口縁部が取り付けられるフレーム３と、フレーム３の基端部に設けられたヨーク４とを備えて構成されている。
【００２６】
また、本装置Ｓは、身体の全部若しくは一部を支承するとともに柔軟性部材で形成され両端に開口１１を有した筒状体１０を備えている。筒状体１０は、軸方向を垂直にして置いた場合、筒状の形態を保持できるとともに、軸方向を水平にして置いた場合でも、ある程度は撓むものの、筒状の形態を保持できるある程度の剛性を有している。筒状体１０を構成する柔軟性部材は、音波及び振動を減衰する機能を有し、ＰＶＣ，ＰＥＲ，ＴＰＥ，ＥＶＡ等の樹脂材料，布材料，皮革材料，ＮＢＲや天然ゴム等のゴム材料，紙材料及びこれらの複合材料群から１以上選択することができる。実施の形態では、筒状体１０は、樹脂製で非通気性のシート状部材を筒状にして形成したものであり、例えば、透明なＰＶＣ（ポリ塩化ビニル）を用いている。図２及び図４に示すように、その厚さｔを、１ｍｍ≦ｔ≦６ｍｍ，撓ませて断面円形にした際の直径Ｄを、３０ｍｍ≦Ｄ≦２００ｍｍ、望ましくは、９０ｍｍ≦Ｄ≦１５０ｍｍ、長さＬを、４００ｍｍ≦Ｌ≦８００ｍｍに設定している。具体的には、例えば、ｔ＝２ｍｍ，Ｄ＝１００ｍｍ，Ｌ＝５００ｍｍにしている。
【００２７】
更に、筒状体１０は、軸方向に直交する方向に複数本列設されている。実施の形態では、筒状体１０は、僅かな間隔を隔てて２本列設されている。
【００２８】
また、筒状体１０の一端部及び他端部には、夫々、筒状体１０の対応する端部を保持する筒状体保持部２２を裏側に設けた一対の保持体２０が設けられている。保持体２０は、２種類あり、筒状体１０の一端部を保持する一方保持体２０Ａと、筒状体１０の他端部を保持する他方保持体２０Ｂとを備えている。
【００２９】
保持体２０（一方保持体２０Ａ及び他方保持体２０Ｂ）は、細長板状の硬質樹脂製の本体２１を備えている。筒状体保持部２２は、本体２１の裏側にその長手方向に沿って各筒状体１０に対応させて複数（実施の形態では２つ）列設されている。筒状体保持部２２は、本体２１の裏面に突設され筒状体１０の開口１１が嵌合する扁平のリング状の突条２３で形成されている。突条２３は、本体２１と同じ材質の硬質樹脂製であり、本体２１と一体成形されている。筒状体１０の開口１１が形成された端面は本体２１の裏面に接する。
【００３０】
また、一方保持体２０Ａの本体２１には、筒状体保持部２２に保持された筒状体１０に連通する貫通孔２４が形成されている。貫通孔２４は、各筒状体１０に対応させて、本体２１の長手方向左右端側に、一対設けられている。他方保持体２０Ｂの本体２１には、各筒状体１０に連通する通気孔２５が形成されている。これにより、各筒状体１０は、一方保持体２０Ａと他方保持体２０Ｂに保持され、筒状体保持部２２に嵌合された状態では、扁平状になり、身体の背中を支承することができるようになる。全体を扁平にすることができ、身体の支承面を確保することができる。
【００３１】
更に、一方保持体２０Ａの本体２１の表側には、スピーカユニット１をその前面が外向きになり後面が貫通孔２４に臨むように保持するスピーカ保持部２６が設けられている。スピーカ保持部２６は、各筒状体１０に対応させて、一対設けられている。スピーカ保持部２６は、上記本体２１と同じ材質の硬質樹脂製であり、貫通孔２４に連通し貫通した空間を有したケース体２７を備えている。このケース体２７の一方端は、本体２１の表面に接着剤などにより付設されている。ケース体２７の他方端には、スピーカユニット１の裏面側が空間内に臨むように、スピーカユニット１のフレーム３の外周縁部が取付けられている。符号２８はスピーカユニット１の表面側を覆う通音性のカバーである。これにより、本装置Ｓには、２つのスピーカユニット１が備えられることになる。そのため、音をステレオで出力できる。
【００３２】
スピーカ保持部２６をケース体２７を備えて構成したので、図２に示すように、筒状体１０の厚さ方向の寸法Ｅａよりもスピーカユニット１の厚さ方向の寸法Ｅｂが大きい場合に、保持体２０の厚さ方向の寸法Ｅｃを大きくすることなくスピーカユニット１を保持することができ、筒状体１０による身体の支承機能を確保することができる。
【００３３】
また、各筒状体１０内には、クッション部材３０が収納されている。クッション部材３０は、弾性を付与する部材であればどのようなものでもよい。実施の形態では、クッション部材３０は、吸音性を有する多孔質の樹脂性弾性部材からなる。多孔質の樹脂性弾性部材としては、所謂スポンジといわれる周知のものが挙げられる。また、筒状体１０内に、綿で形成された吸音部材３１が、クッション部材３０に付設させられて収納されている。更に、筒状体１０，一方保持体２０Ａ，他方保持体２０Ｂ，スピーカユニット１及びカバー２８は、布などの袋状の覆い（図示せず）で覆われる。
【００３４】
従って、この音響クッション装置Ｓによれば、図５に示すように、主に、劇場の座席，自動車のシート，ソファなどの各種椅子Ｃの背もたれＣａに立て掛けて使用する。椅子Ｃに着座すると、身体の背中は、筒状体１０に支承され、筒状体１０は柔軟性部材で形成され、筒状体１０内にはクッション部材３０が収納されているので、身体の背中はその重さが受けられて弾性的に支承され、心地よさが得られる。この場合、他方保持体２０Ｂには、筒状体１０に連通する通気孔２５が形成されているので、身体の重さが筒状体１０にかかったとき、内部の空気を通気孔２５から外へ出して、クッション部材３０を縮小させて筒状体１０を凹ますことができるので、クッション性を確保することができる。クッション部材３０は、多孔質の樹脂性弾性部材なので、クッション性を良好に付与することができる。
【００３５】
そして、この状態で、スピーカユニット１から音を出力すると、スピーカユニット１からの音が外方の外気に伝播され、空気を通して身体に伝達されるとともに、スピーカユニット１の振動が、保持体２０，筒状体１０，クッション部材３０を通して身体に伝達され、音を多角的に感じ取ることができる。この場合、柔軟性部材で形成された筒状体１０及びクッション部材３０が音波及び振動を減衰するので、硬質の部材に比較して、共振音等の不要音の発生が極めて少なくなり、目的音以外の発生が抑えられる。このため、スピーカユニット１から出力される音の振動を可能な限り正規の振動にして身体に伝達することができる。
【００３６】
特に、保持体２０が筒状体１０の端部を保持しているので、スピーカユニット１の振動が、筒状体１０の壁部の全周に亘り筒状体１０の開口１１から筒状体１０の軸方向へ沿って均一に伝達されていくことから、従来に比較して、身体が当接する部分に対するスピーカユニット１の振動の伝達効率を向上させることができ、それだけ、スピーカユニット１から出力される音の振動を、正規の振動にして確実に身体に伝達することができる。この結果、例えば、楽器の音の場合、音がシャープになり、楽器の種類を体感で判別し易くなる等の効果を奏する。また、実施の形態では、スピーカユニット１が筒状体１０の端部に位置するので、スピーカユニット１を使用者の耳元に配置し易くすることができる。耳元に配置した場合には、振動のみならず、スピーカユニット１からの高音質を体感し易くすることができる。
【００３７】
また、筒状体１０を、撓ませて断面円形にした際、その直径Ｄが、３０ｍｍ≦Ｄ≦２００ｍｍ、望ましくは、９０ｍｍ≦Ｄ≦１５０ｍｍにしたので、振動の伝達がより一層均一で確実に行われ、振動の伝達性能を向上させることができる。また、この筒状体１０を２つ列設したので、振動の伝達性能を低下させることなく、身体を受ける面積を広くすることができる。即ち、全体を大きな筒状体で構成した場合には、振動が分散して好ましくないが、これに比較して、小さな筒状体１０を複数列設したので、振動を分散させることなく、振動の伝達を確実に行うことができる。
【００３８】
更に、筒状体１０は、樹脂製で非通気性のシート状部材を筒状にして形成されているので、音波や振動の減衰性能を保持しつつ、スピーカユニット１の振動を保持体２０を通して筒状体１０の軸方向に沿って確実に均等に伝達することができるようになり、より一層正規の振動にして身体に伝達することができる。更にまた、筒状体１０は、筒状体保持部２２の突条２３に嵌合して保持されているので、振動の伝達をより一層均等に行うことができる。また、筒状体１０内には、綿で形成された吸音部材３１が収納されているので、筒状体１０及びクッション部材３０による吸音作用を補填することができ、音波や振動の減衰性能を確実に確保することができる。
【００３９】
図６には、本発明の第２の実施の形態に係る音響クッション装置Ｓを示している。この音響クッション装置Ｓは、上記第１の実施の形態に係る音響クッション装置Ｓとほぼ同等の構成を有しているが、上記と異なって、他方保持体２０Ｂが、一方保持体２０Ａと同様に形成され、スピーカ保持部２６を備えている。筒状体１０の中央には、筒状体１０に連通する通気孔２５が形成されている。そして、１つの筒状体１０に２つのスピーカユニット１が付設され、全体で４つのスピーカユニット１が付設されている。各スピーカユニット１から同種のあるいは異種の音を出力することにより、臨場感や迫力などを増したりすることができる。他の作用，効果は上記と同様である。
【００４０】
図７及び図８には、本発明の第３の実施の形態に係る音響クッション装置Ｓを示している。この音響クッション装置Ｓは、上記第１の実施の形態に係る音響クッション装置Ｓと同様に、各種椅子Ｃの背もたれＣａに立て掛けて使用するものである。本発明の第３の実施の形態に係る音響クッション装置Ｓは、上記と異なって、筒状体１０が、僅かな間隔を隔てて４本列設されている。これに合わせて、一方保持体２０Ａ及び他方保持体２０Ｂに、夫々、筒状体保持部２２が４つ形成されている。一方保持体２０Ａには、スピーカ保持部２６が４つ形成されている。これによっても、各スピーカユニット１から同種のあるいは異種の音を出力することにより、臨場感や迫力などを増したりすることができる。他の作用，効果は上記と同様である。
【００４１】
図９乃至図１１には、本発明の第４の実施の形態に係る音響クッション装置Ｓを示している。この音響クッション装置Ｓは、主に、人体が横臥するマットレスとして使用するものである。これは、筒状体１０，これを保持する一対の保持体２０及びクッション部材３０を備えて構成されるグループ体Ｇ１，Ｇ２，Ｇ３を複数（実施の形態では３つ）連結して構成されている。
【００４２】
詳しくは、各グループ体Ｇ１，Ｇ２，Ｇ３は、上記と同様の、スピーカユニット１を備えている。また、上記と同様の筒状体１０を備えている。筒状体１０の長さＬは、人体が横臥し得るように、例えば、８００ｍｍ≦Ｌ≦１２００ｍｍに設定している。更に、筒状体１０は、複数本列設されている。実施の形態では、筒状体１０は、僅かな間隔を隔てて４本列設されている。
【００４３】
また、上記と同様に、各筒状体１０を保持する一方保持体２０Ａと他方保持体２０Ｂとを備えている。一方保持体２０Ａ及び他方保持体２０Ｂは、夫々、細長板状の硬質樹脂製の本体２１を備えて、この本体２１の裏面には、筒状体保持部２２が４つ列設されている。筒状体保持部２２は、略円形の突条２３で形成され、本体２１と一体成形されている。また、一方保持体２０Ａ及び他方保持体２０Ｂの本体２１には、夫々、筒状体保持部２２に保持された筒状体１０に連通する貫通孔２４が４つ形成されている。更に、本体２１の表側には、スピーカユニット１をその前面が外向きになり後面が貫通孔２４に臨むように保持するスピーカ保持部２６が設けられている。スピーカ保持部２６は、各筒状体１０に対応させて、４つ設けられている。スピーカ保持部２６は、上記と同様に、貫通孔２４に連通し貫通した空間を有したケース体２７を備えている。このケース体２７の一方端は、本体２１の表面に接着剤などにより付設されている。ケース体２７の他方端には、スピーカユニット１の裏面側が空間内に臨むように、スピーカユニット１のフレーム３の外周縁部が取付けられている。スピーカユニット１の表面側は図示外のカバーで覆われる。これにより、１つのグループ体Ｇ１（Ｇ２，Ｇ３）には、８つのスピーカユニット１が備えられることになる。また、筒状体１０の中央には、各筒状体１０に連通する通気孔２５が形成されている。
【００４４】
これにより、グループ体Ｇ１，Ｇ２，Ｇ３においては、各筒状体１０は、一方保持体２０Ａと他方保持体２０Ｂに保持される。また、各筒状体１０内には、上記と同様のクッション部材３０及び吸音部材３１が収納されている。更に、筒状体１０，一方保持体２０Ａ，他方保持体２０Ｂ，スピーカユニット１及びカバーは、布などの袋状の覆いで覆うことができる。そして、上記の構成の３つのグループ体Ｇ１，Ｇ２，Ｇ３は、順次、連結手段としての連結テープ４０（図１１）で連結される。連結テープ４０の場合には、この部位で、グループ体Ｇ１，Ｇ２，Ｇ３を折り畳むことができるようになり、使用しないときはコンパクトにすることができる。使用するときは、人体が横臥できる長さに展開することができる。
【００４５】
従って、この音響クッション装置Ｓによれば、使用するときは、各グループ体Ｇ１，Ｇ２，Ｇ３を展開し、これに人体を横臥して用いる。そして、この状態で、スピーカユニット１から音を出力すると、スピーカユニット１からの音が外方の外気に伝播され、空気を通して身体に伝達されるとともに、スピーカユニット１の振動が、保持体２０，筒状体１０，クッション部材３０を通して身体に伝達され、音を多角的に感じ取ることができる。この場合、柔軟性部材で形成された筒状体１０及びクッション部材３０が音波及び振動を減衰するので、硬質の部材に比較して、共振音等の不要音の発生が極めて少なくなり、目的音以外の発生が抑えられる。このため、スピーカユニット１から出力される音の振動を可能な限り正規の振動にして身体に伝達することができる。
【００４６】
特に、保持体２０が筒状体１０の端部を保持しているので、スピーカユニット１の振動が、筒状体１０の壁部の全周に亘り筒状体１０の開口１１から筒状体１０の軸方向へ沿って均一に伝達されていくので、従来に比較して、身体が当接する部分に対するスピーカユニット１の振動の伝達効率を向上させることができ、それだけ、スピーカユニット１から出力される音の振動を、正規の振動にして確実に身体に伝達することができる。この結果、例えば、楽器の音の場合、音がシャープになり、楽器の種類を体感で判別し易くなる等の効果を奏する。また、小さな筒状体１０を複数列設したので、全体を大きな筒状体で構成した場合には、振動が分散して好ましくないが、これに比較して、振動を分散させることなく、振動の伝達を確実に行うことができる。他の作用，効果は上記と同様である。
【００４７】
図１２には、第５の実施の形態に係る音響クッション装置Ｓを示している。これは、第４の実施の形態に係る音響クッション装置Ｓと略同様に構成されるが、上記と異なって、スピーカユニット１及びスピーカ保持部２６を、各筒状体１０に対して、１つ設けたものである。一方保持体２０Ａと他方保持体２０Ｂにおいて、スピーカユニット１及びスピーカ保持部２６を、位相をずらせて、交互に設けている。スピーカユニット１及びスピーカ保持部２６が取付けられない貫通孔２４が通気孔の役目をする。これによっても、上記と同様の作用，効果を奏する。
【００４８】
図１３には、第６の実施の形態に係る音響クッション装置Ｓを示している。これは、腰掛けやソファ等の各種椅子Ｃの背もたれＣａそのものとして構成されている。第１または第３の実施の形態に係る音響クッション装置Ｓと略同様の構成を有する。背もたれＣａとしての機能を保持するために、補強部材で補強することができる。これによっても、上記と同様の作用，効果を奏する。特に、スピーカユニット１を使用者の耳元に配置したので、振動のみならず、スピーカユニット１からの高音質を体感し易くすることができる。
【００４９】
図１４には、クッション部材３０の別の例を示す。このクッション部材３０は、筒状体１０の軸線方向に直交する方向に伸縮可能な複数のコイルスプリングで構成されている。尚、図１４中、符号４１は、筒状体１０を覆う布や皮革等の柔軟性部材で形成された覆いである。
【００５０】
尚、上記実施の形態では、スピーカ保持部２６をケース体２７を備えて構成したが、必ずしもこれに限定されるものではなく、ケース体２７を用いずに、本体２１の表面にスピーカユニット１を取り付けるようにし、即ち、本体２１の表面自体をスピーカ保持部２６として構成しても良く、適宜変更して差支えない。また、筒状体１０の材質や数も上述したものに限定されず、適宜変更して差支えない。更に、クッション部材３０の材質も上述したものに限定されない。更にまた、上記実施の形態においては、スピーカユニット１としてコーン型のものを用いたが、必ずしもこれに限定されるものではなく、例えば、ホーン型、静電型、リボン型等、種々のタイプのものを用いて良く、適宜変更して差支えない。
【００５１】
尚また、上記実施の形態においては、本発明を、椅子Ｃの背もたれＣａに立て掛けて用いる装置，マットレスとして用いる装置に適用したが、必ずしもこれに限定されるものではなく、その他、腰掛けやソファ等の各種椅子の座部，肘掛，ヘッドレスト等をはじめ、ベッド，枕，座布団等、種々のものに適用できることは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００５２】
Ｓ  音響クッション装置
Ｃ  椅子
Ｃａ  背もたれ
１  スピーカユニット
１０  筒状体
１１  開口
２０  保持体
２０Ａ  一方保持体
２０Ｂ  他方保持体
２１  本体
２２  筒状体保持部
２３  突条
２４  貫通孔
２５  通気孔
２６  スピーカ保持部
２７  ケース体
２８  カバー
３０  クッション部材
３１  吸音部材
Ｇ１，Ｇ２，Ｇ３  グループ体
４０  連結テープ（連結手段）
４１  覆い
【図１】
2020174334.tif 000003
【図２】
2020174334.tif 000004
【図３】
2020174334.tif 000005
【図４】
2020174334.tif 000006
【図５】
2020174334.tif 000007
【図６】
2020174334.tif 000008
【図７】
2020174334.tif 000009
【図８】
2020174334.tif 000010
【図９】
2020174334.tif 000011
【図１０】
2020174334.tif 000012
【図１１】
2020174334.tif 000013
【図１２】
2020174334.tif 000014
【図１３】
2020174334.tif 000015
【図１４】
2020174334.tif 000016
【図１５】
2020174334.tif 000017
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
身体の全部若しくは一部をその重さを受けて弾性的に支承するとともにスピーカユニットを備え該スピーカユニットからの音及びその振動を身体に伝達する音響クッション装置において、
身体の全部若しくは一部を支承するとともに柔軟性部材で形成され両端に開口を有した筒状体を備え、該筒状体の一端部及び他端部に、夫々、該筒状体の対応する端部を保持する筒状体保持部を裏側に設けた一対の保持体を設け、該一対の保持体の少なくとも何れか一方に、上記筒状体に連通する貫通孔を形成し、その表側に上記スピーカユニットをその前面が外向きになり後面が上記貫通孔に臨むように保持するスピーカ保持部を設け、該スピーカ保持部に上記スピーカユニットを保持し、上記筒状体内にクッション部材を収納し、
上記筒状体を、撓ませて断面円形にした際、その直径Ｄを、３０ｍｍ≦Ｄ≦２００ｍｍに設定し、
上記筒状体を複数本列設し、上記筒状体保持部を、上記保持体の裏側に各筒状体に対応させて複数列設し、上記スピーカ保持部を、上記一対の保持体の少なくとも何れか一方に、各筒状体に対応させて設けたことを特徴とする音響クッション装置。
【請求項２】
上記筒状体，これを保持する一対の保持体及びクッション部材を備えて構成されるグループ体を設け、該グループ体を複数連結して構成したことを特徴とする請求項１記載の音響クッション装置。
【請求項３】
身体の全部若しくは一部をその重さを受けて弾性的に支承するとともにスピーカユニットを備え該スピーカユニットからの音及びその振動を身体に伝達する音響クッション装置において、
身体の全部若しくは一部を支承するとともに柔軟性部材で形成され両端に開口を有した筒状体を備え、該筒状体の一端部及び他端部に、夫々、該筒状体の対応する端部を保持する筒状体保持部を裏側に設けた一対の保持体を設け、該一対の保持体の少なくとも何れか一方に、上記筒状体に連通する貫通孔を形成し、その表側に上記スピーカユニットをその前面が外向きになり後面が上記貫通孔に臨むように保持するスピーカ保持部を設け、該スピーカ保持部に上記スピーカユニットを保持し、上記筒状体内にクッション部材を収納し、
上記筒状体を、撓ませて断面円形にした際、その直径Ｄを、３０ｍｍ≦Ｄ≦２００ｍｍに設定し、
上記筒状体，これを保持する一対の保持体及びクッション部材を備えて構成されるグループ体を設け、該グループ体を複数連結して構成したことを特徴とする音響クッション装置。
【請求項４】
上記筒状体を、樹脂製で非通気性のシート状部材を筒状にして形成したことを特徴とする請求項１乃至３何れかに記載の音響クッション装置。
【請求項５】
上記保持体を板状の本体を備えて構成し、上記筒状体保持部を、上記本体の裏面に突設され上記筒状体の開口が嵌合するリング状の突条で形成したことを特徴とする請求項１乃至４何れかに記載の音響クッション装置。
【請求項６】
上記突条を、扁平のリング状にしたことを特徴とする請求項５記載の音響クッション装置。
【請求項７】
上記スピーカ保持部を、上記貫通孔に連通し貫通した空間を有したケース体を備え、該ケース体の一方端を上記本体の表面に付設し、該ケース体の他方端に、上記スピーカユニットの裏面側が上記空間内に臨むように該スピーカユニットの外周縁部を取付けたことを特徴とする請求項５または６記載の音響クッション装置。
【請求項８】
上記筒状体及び保持体の少なくともいずれか一方に、上記筒状体に連通する通気孔を形成したことを特徴とする請求項１乃至７何れかに記載の音響クッション装置。
【手続補正２】
【補正対象書類名】図面
【補正対象項目名】図１
【補正方法】変更
【補正の内容】
【図１】
2020174334.tif 000018